(57)【要約】      （修正有）【課題】任意の方向にテレビ本体の向きを変えうるようにした、壁面可動テレビ装置を提供する。【解決手段】壁面可動テレビ装置のテレビ回動部材は、壁体にベース部を固定し、該ベース部の一端部に丁番を介してアーム部を取り付け、更に該アーム部の他端部に丁番を介してテレビ本体を固着するブラケットを取り付ける。【選択図】図１
2007013241.tif 000002
【特許請求の範囲】
【請求項１】
テレビの方向を変えうる回転部材であって、テレビ本体と、テレビ本体の背面を固着するブラケットと、該ブラケットに丁番を介して接続するアーム部と、該アーム部に丁番を介して接続するベース部とから構成され、ベース部を壁材に装着固定することによってアーム部の回動作用によりテレビ本体の向きを変えることを特徴とする壁面可動テレビ装置。
【請求項２】
前記テレビ本体の背面を固着するブラケットは、複数のテレビ本体固定用孔部を有すると共に、ブラケット裏側に前記アーム部の端部と接続するように丁番が取り付けられていることを特徴とする請求項１記載の壁面可動テレビ装置。
【請求項３】
前記ブラケットに丁番を介して接続するアーム部は、一端部にブラケットと接合可能な丁番と他端部にベース部と接合可能な丁番とが取り付けられる平面状板であって、内部に空間を有することを特徴とする請求項１〜２記載の壁面可動テレビ装置。
【請求項４】
前記ベース部は、一端部にアーム部と接合可能な丁番な丁番が取り付けられる平面状板であって、内部に空間を有することを特徴とする請求項１〜３記載の壁面可動テレビ装置。
【請求項５】
前記アーム部と前記ベース部とは丁番を介して接合されると共に、互いの枠部が重なり合う構造であることを特徴とする請求項１〜４記載の壁面可動テレビ装置。
【発明の詳細な説明】
【技術分野】
【０００１】
本発明は、大型タイプの壁面可動テレビ装置に関し、さらに詳しくは、壁体に取り付けたベース板を基軸としてアーム部を介してテレビ本体を取り付けたブラケットを任意な方向に変え、好みの方向でテレビを見られるようにした壁面可動テレビ装置に関するものである。
【背景技術】
【０００２】
従来のテレビ番組の視認は、特に壁側等の一定箇所に設置されたものを離れた場所で見るのが通常であり、また、軽量タイプのテレビにおいてはテレビ自体を持ち上げて部屋毎に移動させることも行われている。
【０００３】
テレビを任意な場所において見れるようにしたものとして実公平７−４４１４２号「照明付きテレビ装置」は、「室内の天井には、横方向に延びる天秤棒を、横方向および縦方向の回動が自在でかつ長さ方向に移動が可能なように取り付け、この天秤棒の一端部には回転自在に照明器具を設け、また天秤棒の他端部には回転自在にテレビ装置を設けた照明付きテレビ装置」を開示している。
【０００４】
しかしながら、このようなテレビ装置の場合には自ずからテレビ自体の重量制限があり、天秤棒の先端部に取り付けられるテレビ装置の大きさは限定されるものであった。
【特許文献１】実公平７−４４１４２号
【発明の開示】
【発明が解決しようとする課題】
【０００５】
一方で、近年の大型化テレビの開発はサイズのみでなく画面表示の明るさも求められるように成り、液晶テレビやプラズマテレビ等も２６インチ型、３２インチ型のように画面が大きくなる反面、厚みは薄幅になってきた。
【０００６】
上記大型タイプのテレビは、通常、その大きさ故に壁側に設置し、或いは、壁体そのものに組み込むタイプにして見られるようになっているが、いずれにしてもテレビ本体を一定箇所に設置して扇形の方向でしか見ることができなかった。
【課題を解決するための手段】
【０００７】
本発明者等は斯かる課題を解決するために鋭意研究したところ、壁体にベース部を固定し、該ベース部の一端部に丁番を介してアーム部を取り付け、更に該アーム部の他端部に丁番を介してテレビ本体を固着するブラケットを取り付けることによって、任意の方向にテレビ本体の向きを変えうることを見いだし、本発明の壁面可動テレビ装置を提供することができた。
【０００８】
すなわち本発明の第一は、テレビの方向を変えうる回転部材であって、テレビ本体と、テレビ本体の背面を固着するブラケットと、該ブラケットに丁番を介して接続するアーム部と、該アーム部に丁番を介して接続するベース部とから構成され、ベース部を壁材に装着固定することによってアーム部の回動作用によりテレビ本体の向きを変えることを特徴とする壁面可動テレビ装置である。
【０００９】
本発明の第二は、前記テレビ本体の背面を固着するブラケットは、複数のテレビ本体固定用孔部を有すると共に、ブラケット裏側に前記アーム部の端部と接続するように丁番が取り付けられていることを特徴とする請求項１記載の壁面可動テレビ装置である。
【００１０】
本発明の第三は、前記ブラケットに丁番を介して接続するアーム部は、一端部にブラケットと接合可能な丁番と他端部にベース部と接合可能な丁番とが取り付けられる平面状板であって、内部に空間を有することを特徴とする請求項１〜２記載の壁面可動テレビ装置である。
【００１１】
本発明の第四は、前記ベース部は、一端部にアーム部と接合可能な丁番な丁番が取り付けられる平面状板であって、内部に空間を有することを特徴とする請求項１〜３記載の壁面可動テレビ装置である。
【００１２】
本発明の第五は、前記アーム部と前記ベース部とは丁番を介して接合されると共に、互いの枠部が重なり合う構造であることを特徴とする請求項１〜４記載の壁面可動テレビ装置である。
【発明の効果】
【００１３】
本発明の壁面可動テレビ装置は、通常は壁体の位置に平行方向でベース部、アーム部、ブラケット、テレビ本体の順に重なっているために、壁体からの位置もそれほどとらないために通常タイプのテレビと同様に見ることが可能となっている。
【００１４】
壁体に取り付けられたベース部の一端部に取り付けられたアーム部は丁番を介して約１８０度回転可能であり、さらに該アーム部の他端部に接続するテレビ本体を取り付けたブラケットも丁番を介して約３５０度回転可能であるために、テレビ本体を任意な方向に変えうるようになっている。
【００１５】
ベース部の固定は、ベース部枠体の任意な箇所でビス固定等をすれば良く、テレビ設置のための大規模な工事を必要としない等の効果を有するものである。
【発明を実施するための最良の形態】
【００１６】
以下図面を参照に本発明の詳細を以下に述べるが、本発明の範囲はこれらに限定されるものではない。
【実施例１】
【００１７】
図１は、本発明に係る壁面可動テレビ装置を壁体に取り付けた状態を示す斜視図である。本発明の壁面可動テレビ装置は、２４インチサイズの液晶タイプやプラズマタイプからなるテレビ本体１と、テレビ本体１の背面を固着するブラケット２と、該ブラケット２に丁番６を介して接続するアーム部３と、該アーム部３に丁番５を介して接続するベース部４とから構成され、ベース部４を壁材７に装着固定することによってアーム部３の回動作用によりテレビ本体の向きを変えることが可能となっている。
【００１８】
図２は、図１におけるベース部４の正面図である。該ベース部４は、一例として縦幅２９５ｍｍ、横幅２９３ｍｍの四角形状の外径を有し、縦枠８ととして縦幅２９５ｍｍ、横幅５０ｍｍの枠２個と、横枠９として縦幅３０ｍｍ、横幅２４３ｍｍの枠２個を組み合わせると共に、内部に空間を有する支持部材１０を嵌め込んでいる。
【００１９】
また、左側の縦枠１２内部には、直径２４ｍｍの第１丁番５を溶接固定すると共に、該丁番５を介してアーム部３と接続すると共に、本ベース部４は壁体７に対して複数の箇所でビス固定（図示せず）される。
【００２０】
図３は、同様に図１におけるアーム部３の正面図である。該アーム部３は一例として、縦幅２８５ｍｍ、横幅２８５ｍｍ、厚み５ｍｍの四角形状の外枠１３を有し、該外枠１３内部に幅１３ｍｍの内枠１４を設け、さらに該内枠１４内部にアーム部飾り１５を２個組み合わせて、内部に空間を有するようにしている。
【００２１】
このアーム部３の両側端部には、第１丁番５と第２丁番６とが取り付けられ、それぞれベース部４とブラケット２とに溶接接合されており、このうちベース部４側は、ベース部４が壁体７に固着されるために、第１丁番の部分で約１８０度の回転が成され、一方、第２丁番６の部分では左右に約３５０度回動するようになっている。
【００２２】
図４は、同様に図１におけるブラケット２の正面図である。該支持部２の本体は一例として、縦幅２９５ｍｍ、横幅１４０ｍｍの四角形状の外枠を有し、該外枠内部に直径７５ｍｍの空間部１８を２個設けると共に、任意の箇所にテレビ本体の裏面側に設けられている突起部を嵌合接合するビス穴１７を４個設けている。
【００２３】
本発明の回動部材を用いてテレビを設置する手順としては、先ず別々に製造したベース部４、アーム部３、ブラケット２を第１丁番５と第２丁番６とで溶接接合し、一体化したものを本発明の回動部材として製品化した。
【００２４】
図５は、別な使用状態を説明する斜視図である。テレビ本体１の方向は図１に示すように壁体７と平行方向ばかりでなく、左右の方向で垂直に設定できるために視認者の好みの方向に変えうるようになっている。
【００２５】
上記製品を室内に取り付ける手順としては、ベース部４を設置場所脇の壁体７に重ね、ベース部４の枠体に設けたビス穴（図示せず）にビスを通して複数箇所ビス止めし、次いで、テレビ本体１をテーブル等（図示せず）の上に一時仮置きしてテレビ本体裏側に設けられているビス突起物をブラケット２の４個のビス穴に挿通してビス止めをするとよい。  
【００２６】
本発明で用いたベース部４、アーム部３、ブラケット２の素材としてはスチール素材を用いたが、これらの部材の素材としてはテレビ自体の重量にもよるが前記スチール素材に代えてステンレス、アルミニウム、木材等の素材も用いることが可能である。  
【図面の簡単な説明】
【００２７】
【図１】本発明に係る壁面可動テレビ装置を壁体に取り付けた状態を示す斜視図である。
【図２】図１におけるベース部の正面図である。
【図３】図１におけるアーム部の正面図である。
【図４】図１におけるブラケットの正面図である。
【図５】別な使用状態を説明する斜視図である。
【符号の説明】
【００２８】
１・・・テレビ本体
２・・・ブラケット
３・・・アーム部
４・・・ベース部
５・・・第１丁番
６・・・第２丁番
７・・・壁体
８・・・縦枠
９・・・横枠
１０・・支持板
１１・・空間部
１２・・丁番内蔵部
１３・・アーム部外枠
１４・・内枠
１５・・アーム部飾り
１６・・空間部
１７・・ビス穴
１８・・空間部
１９・・第２丁番取付部
【図１】
2007013241.tif 000003
【図２】
2007013241.tif 000004
【図３】
2007013241.tif 000005
【図４】
2007013241.tif 000006
【図５】
2007013241.tif 000007